(57)【要約】【課題】例えば建築物の屋根や床材の下方に天井板を取付する際に用いる横材の支持金具およびそれを用いた天井板の取付構造に係り、溶接や大掛かりな機械などを用いることなく容易・迅速に施工できるようにする。【解決手段】本発明による支持金具は、建築物の屋根や床材等の水平部材の下方に配設される天井板取付用横材の支持金具１０であって、略Ｕ字形に形成した金具本体１１の上部に、上記水平部材と、それを支持する梁材との間に挿入して上記金具本体を吊り下げ保持する支持アーム１２を上記金具本体１１と一体に形成し、上記略Ｕ字形金具本体１１の対向片の一方に天井板取付用横材を挿通する貫通穴１３を設けると共に、上記略Ｕ字形金具本体の下部に、上記貫通穴内に挿通した横材を抜け止め係止する固定ボルト螺合用の雌ねじ孔１４を設けたことを特徴とする。【選択図】  図１
2009138445.tif 000002
【特許請求の範囲】
【請求項１】
建築物の屋根や床材等の水平部材の下方に配設される天井板取付用横材の支持金具であって、略Ｕ字形に形成した金具本体の上部に、上記水平部材と、それを支持する梁材との間に挿入して上記金具本体を吊り下げ保持する支持アームを上記金具本体と一体に形成し、上記略Ｕ字形金具本体の対向片の一方に天井板取付用横材を挿通する貫通穴を設けると共に、上記略Ｕ字形金具本体の下部に、上記貫通穴内に挿通した横材を抜け止め係止する固定ボルト螺合用の雌ねじ孔を設けたことを特徴とする天井板取付用横材の支持金具。
【請求項２】
建築物の屋根や床材等の水平部材の下方に配設される天井板の取付構造であって、互いに隣り合う梁材の上部に、上記請求項１に記載の天井板取付用横材の支持金具を配置して、その各支持金具の支持アームを、上記各梁材と、その梁材上に設けた上記水平部材との間に挿入して、上記各支持金具の金具本体を上記支持アームの下方に吊り下げ保持させ、その各金具本体に設けた上記貫通穴内に天井板取付用横材の両端部をそれぞれ挿通すると共に、上記各金具本体の下部に設けた雌ねじ孔に固定ボルトを螺合し、その各固定ボルトの先端を上記横材の下面に押付けることによって、上記横材の両端部を上記各金具本体に対して抜け止め保持させ、その横材に天井板を取付け支持させるようにしたことを特徴とする天井板の取付構造。
【請求項３】
上記梁材としてＨ型鉄骨梁が用いられ、上記各金具本体の雌ねじ孔に螺合した押えボルトの先端を上記横材の下面に押付けることによって、その横材と上記各金具本体の支持アームとの間に、上記Ｈ型鉄骨梁よりなる梁材の上部横片を挟んで上記横材を締め付け固定するようにした請求項２に記載の天井板取付用横材の取付構造。
【発明の詳細な説明】
【技術分野】
【０００１】
本発明は、例えば建築物の屋根や床材の下方に天井板を取付する際に用いる横材の支持金具およびそれを用いた天井板の取付構造に関する。更に詳しくは、例えば工場や体育館等のように屋内の上部に天井板などの仕上げが施されていない既存の建築物の屋根や床材として使用されたＡＬＣ（軽量気泡コンクリート）等のパネルに、上部改修工事の衝撃など、設計上加味されない過大な荷重が掛かってパネルが破損した場合の安全対策として、天井板を新たに設ける場合の天井板取付用横材の支持金具およびそれを用いた天井板の取付構造に関するものである。
【背景技術】
【０００２】
一般に建築物の屋根や床材等の水平部材では、その上部から、設計時に考慮されない過大な荷重がかかることがある。例えば、防水層などの仕上げ材が経年により老朽化した場合、漏水などを防止するために、上記水平部材の上部で改修工事が行われるが、その際に設計時に加味されない過大な荷重や衝撃が加えられて水平部材が破損することがしばしば起こる。また、設計時に予想されない躯体の変位や変形なども、部材の破損に繋がるケースが見受けられる。特に天井板などの仕上げが施されない建築物においては、この破損した一部の破片が室内に落下し、安全上問題となることがある。
【０００３】
このような場合の対策として、下記特許文献１のように水平部材として複合パネルを用いることによって表面強度の向上を図ったり、下記特許文献２のように水平部材の下面側に張弦梁を設けて水平部材のたわみを矯正すること等が提案されているが、いずれも上部からの過大な荷重による水平部材下面の破片落下防止を考慮した方法ではなく、また水平部材へのビス止めによるボード類の固定なども行われているが、取付け強度面などで問題が出る可能性があった。
【０００４】
図８（ａ）は従来の建築物における屋根や床材等の水平部材としてＡＬＣ等のパネル１を用いた場合の施工例を示すもので、建物躯体であるＨ形鋼等よりなる梁材２の上部フランジ２ａ上にパネル１の両端を載置すると共に、隣り合うパネル１の端部を、上記フランジ２ａ上に溶接等で固着したスラブプレート等の固定用金物３と、その固定用金物３に貫通させて設けた鉄筋４およびモルタル５等を介して固定した構成である。
【０００５】
上記のような水平部材としてＡＬＣ等のパネルを採用するに当っては、設計時に建築物の用途などに合わせて、パネル上部に加わる仕上げ荷重や積載荷重を考慮し、それらの荷重に耐えうる強度のパネルを使用している。ところが、建物竣工から長い年月が経つと、設計時に考えられていた荷重は考慮されず、例えば図８（ｂ）のようにパネル１の上部に防水層６等を設けたものにあっては、その防水層６の改修工事などにおいて、衝撃や過大な積載荷重Ｐがパネルに加えられることが多い。
【０００６】
この場合、パネル劣化の有無に関わらず、上記の衝撃や過大な積載荷重Ｐによって、図８（ｂ）のようにパネルが損傷を受けることがある。その場合でも、パネルの曲げ耐力は安全側に設計されているので、損傷が極端に大きなものでなければ、パネル自体が落下する危険性は少ない。しかし、同図（ｃ）のように損傷した部分の裏面が剥離し、特にパネル下に天井板などの仕上げがない建築物においては、室内への破片の落下に繋がるおそれがある。
【０００７】
このような破片落下に対する対策として、左官材などによる部分補修が行われるケースがあるが、補修部分の再落下の可能性がないわけではない。他に、パネルの下側にネットを張る、いわゆるネット張りや、天井板を張る、いわゆるボード張りによる落下防止策が行われることもあるが、ネット張りの場合は、細かい破片落下を完全に防止することが出来ず、また、ボード張りの場合は、効果的であるものの、下地を設ける必要があるため、工事が大掛かりとなり、結果としてこれらを省力化するために、パネルに直にビス止めなどで固定されているケースがあり、これも取付強度上好ましくない方法である。また、既存建物はそのほとんどが使用中で、建物用途や室内設備の関係などから、溶接を伴う工事が行えないことも多く、補修対策実施が困難な場合も少なくない。
【０００８】
【特許文献１】特開２００１−２６２７６９号公報
【特許文献２】特開２００３−１８４３１７号公報
【発明の開示】
【発明が解決しようとする課題】
【０００９】
本発明は上記の問題点に鑑みて提案されたもので、破片落下防止対策として屋根や床材の下方に天井板（ボード）を取付けるに当り、溶接や大掛かりな機械などを用いることなく容易・迅速に施工することのできる建築物への天井板取付用横材の支持金具および天井板の取付構造を提供することを目的とする。
【課題を解決するための手段】
【００１０】
上記の目的を達成するために本発明による建築物への天井板取付用横材の支持金具および天井板の取付構造は、以下の構成としたものである。即ち、本発明による建築物への天井板取付用横材の支持金具は、建築物の屋根や床材等の水平部材の下方に配設される天井板取付用横材の支持金具であって、略Ｕ字形に形成した金具本体の上部に、上記水平部材と、それを支持する梁材との間に挿入して上記金具本体を吊り下げ保持する支持アームを上記金具本体と一体に形成し、上記略Ｕ字形金具本体の対向片の一方に天井板取付用横材を挿通する貫通穴を設けると共に、上記略Ｕ字形金具本体の下部に、上記貫通穴内に挿通した横材を抜け止め係止する固定ボルト螺合用の雌ねじ孔を設けたことを特徴とする。
【００１１】
また本発明による天井板の取付構造は、建築物の屋根や床材等の水平部材の下方に配設される天井板の取付構造であって、互いに隣り合う梁材の上部に、上記請求項１に記載の天井板取付用横材の支持金具を配置して、その各支持金具の支持アームを、上記各梁材と、その梁材上に設けた上記水平部材との間に挿入して、上記各支持金具の金具本体を上記支持アームの下方に吊り下げ保持させ、その各金具本体に設けた上記貫通穴内に天井板取付用横材の両端部をそれぞれ挿通すると共に、上記各金具本体の下部に設けた雌ねじ孔に固定ボルトを螺合し、その各固定ボルトの先端を上記横材の下面に押付けることによって、上記横材の両端部を上記各金具本体に対して抜け止め保持させ、その横材に天井板を取付け支持させるようにしたことを特徴とする。
【発明の効果】
【００１２】
上記のように構成された本発明による建築物への天井板取付用横材の支持金具および天井板の取付構造によれば、溶接や大掛かりな機械などを用いることなく、天井仕上げが可能であり、また天井全面のみならず、部分的な仕上げも容易・迅速に行うことができる。これにより、屋根や床材等の水平部材の上部からの過大な荷重などにより生じた破損部分の剥落などが防止でき、安全上極めて有効な対策が可能となる。
【発明を実施するための最良の形態】
【００１３】
以下、本発明による建築物への天井板取付用横材の支持金具および天井板の取付構造を図に示す実施形態に基づいて具体的に説明する。図１は本発明による天井板取付用横材の支持金具の一実施形態を示す斜視図である。
【００１４】
図示例の支持金具１０は、略Ｕ字形に形成した金具本体１１の上部に、屋根や床材等の水平部材と、それを支持する梁材との間に挿入して上記金具本体１１を吊り下げ保持する支持アーム１２を上記金具本体１１と一体に形成し、上記略Ｕ字形金具本体１１の対向片１１ａ・１１ｂの一方１１ｂに天井板取付用横材を挿通する貫通穴１３を設けると共に、上記略Ｕ字形金具本体１１の下部１１ｃに、上記貫通穴１３内に挿通した横材を抜け止め係止する固定ボルト螺合用の雌ねじ孔１４を設けた構成である。上記貫通穴１３は、図の場合はその一側方に開口部１３ａを有する凹溝形状に形成され、その開口部１３ａから上記横材を上記貫通穴１３内に挿入し得るように構成されている。
【００１５】
図２〜図４は上記の支持金具１０を用いて屋根や床材等の水平部材の下面側に取付けた天井板の取付構造の一実施形態を示すもので、図２はその天井板取付構造の斜視図、図３は図２におけるＡ部の拡大図、図４（ａ）は図３の正面図、同図（ｂ）は（ａ）のｂ−ｂ側面図である。
【００１６】
本実施形態は既存の建築物の屋根や床等の水平部材に適用したもので、その水平部材として本例においてはＡＬＣパネル１が用いられている。そのパネル１は横方向に隣り合う梁材２を跨ぐようにして前後及び左右方向に並べて設けられ、図で左右方向に隣り合うパネル１は前記図８（ａ）と同様にスラブプレート等の固定用金物３と鉄筋４およびモルタル５等で固定されているが、そのモルタル５以外は図には省略した。
【００１７】
上記梁材２として、図の実施形態においては、Ｈ型鉄骨梁が用いられ、その梁材２の長手方向と平行な方向に隣り合うパネル１・１の対向面の下側の角部には、それぞれパネル１の下面に対して約４５度の角度で傾斜する面取り加工部１ａが設けられている。その面取り加工部１ａの下側の隣り合う梁材２・２の互いに対向する側には、それぞれ上記支持金具１０が設けられ、その各支持金具１０の支持アーム１２を、上記両パネル１・１の面取り加工部１ａ・１ａと梁材２の上面（図の場合は上記Ｈ型鉄骨梁の上部フランジ２ａの上面）とで形成される隙間Ｓ内に挿入することによって、上記各支持金具１０の金具本体１１が上記支持アーム１２の下方に吊り下げ保持されている。
【００１８】
上記各支持金具１０は、それぞれ金具本体１１の前記一方の対向片１１ｂが互いに対向するようにして配置され、上記面取り加工部１ａの下側に、それとほぼ平行に配置した横材２０の両端部が上記各金具本体１１の対向片１１ｂに形成した貫通穴１３内に挿入嵌合されている。なお、上記横材２０として図の実施形態は鋼材等よりなる角パイプ材を用いたものであるが、その材質や断面形状は適宜であり、例えば角棒状の木材等を用いることもできる。
【００１９】
また上記各支持金具１０の金具本体１１の下部に形成した雌ねじ孔１４には、固定ボルト１５がねじ込まれ、その各固定ボルト１５の先端（上端）を上記横材２０の両端部下面に圧接させることによって、上記横材２０の各端部が支持金具１０から脱落するのを防ぐようにしたものである。特に図の場合は上記各固定ボルト１５の先端と、上記各支持金具１０の支持アーム１２との間に、Ｈ型鉄骨梁よりなる梁材２の上部フランジ２ａを挟んで締め付けるようしたものである。
【００２０】
上記のようにして隣り合う梁材２・２間に配置される横材２０を、図２においては中央部のパネル１の前後両側に設けると共に、そのパネル１の下側に天井板２１を配置し、その天井板の前後両側の縁部をビス２２等で上記両横材２０の下面に取付けた構成である。なお、上記天井板２１は複数枚設けてもよく、或いは全てのパネル１の下側に設けるようにしてもよい。また上記パネルの大きさ・形状や横材２０に対する取付手段等は適宜である。
【００２１】
上記のように構成された天井板の取付構造を施工するに当たっては、例えば以下の要領で施工すればよい。図５（ａ）〜（ｅ）はその施工プロセスの一例を示すもので、先ず前述のように横方向に隣り合う梁材２・２にそれぞれ前記支持金具１０を取付ける。その際、図５（ａ）のように梁材２の長手方向と平行な方向に隣り合うパネル１・１の対向面の下側の角部に形成した面取り加工部１ａ・１ａと梁材２の上面とで形成される隙間Ｓに各支持金具１０の支持アーム１２を挿入する。すると、図５（ｂ）のように各支持金具１０の金具本体１１が支持アーム１２の下方に吊り下げ保持された状態となる。
【００２２】
その状態で、上記各支持金具１０の貫通穴１３に横材２０の両端部を図５（ｃ）のように挿通保持させるもので、その際、上記横材２０はその長手方向中央部付近をやや撓めながら上記貫通穴１３に挿通したり、或いは横材２０の両端部を予め貫通穴１３に挿通した状態で上記支持アーム１２を隙間Ｓ内に挿入するようにしてもよいが、本実施形態のように上記貫通穴１３の一側方に前記のような開口部１３ａを設けておくと、上記各支持金具１０を、図５（ｂ）のように梁材２に予め取付けてからでも上記横材２０を上記開口部１３ａを介して上記貫通穴１３内に容易に挿入嵌合させることができる。
【００２３】
なお、上記のようにして横材２０の両端部を、図５（ｃ）のように、それぞれ支持金具１０の貫通穴１３内に挿通保持させた状態において、横材２０の両端面が図のように各支持金具１０の金具本体１１の対向片１１ａの近傍に位置するように、上記横材２０の長さを予め設定しておくとよく、そのようにすると、上記横材２０がその長手方向にずれてもその端部が上記対向片１１ａに当接して上記横材２０が各支持金具１０から脱落するのを防ぐことができると共に、上記各支持金具１０の支持アーム１２が上記隙間Ｓから抜け落ちて各支持金具１０が梁材２から脱落するのを防ぐことができる。
【００２４】
次に、上記図５（ｃ）のように横材２０の両端部を支持金具１０の貫通穴１３内に挿通保持させた状態で、各支持金具１０の雌ねじ孔１４に螺合した固定ボルト１５をねじ込んで、その先端を横材両端部の下面に押し付けると、上記横材２０を支持金具１０に対して抜け止め係止できるもので、特に本実施形態のように上記雌ねじ孔１４にねじ込んだ固定ボルト１５の先端と、Ｈ型鉄骨梁よりなる梁材２の上部フランジ２ａとの間に、図５（ｄ）のように上記横材２０の端部を挟んで締め付け固定すると、上記梁材２の両端部と各支持金具１０とを梁材２に強固に且つガタツキ無く固定することができる。
【００２５】
そして上記のようにして梁材２に横材２０を取付けたところで、その横材２０の下面側に天井板２１を配置してビス２２等で上記横材２０に取付ければよく、それによって前記水平部材としてのパネル１の下面側を上記天井板２１で覆うことができるもので、そのパネル１が万一破損して破片の落下や剥落等が生じても、それを上記天井板２１が受け止めて、それよりも下方の室内等に破片や剥離部が落下するのを未然に防止することができるものである。
【００２６】
上記の天井板の敷設工事は、上記のように極めて容易かつ迅速に施工できると共に、例えば既存の建築物にあっては使用している状態でも施工することができる。従って、使用者への負担が少なく、また必要なときに短時間で施工できるので、施工コストやそれに付随するコストも少なくて済む等の利点がある。
【００２７】
なお、上記実施形態は、天井板２１を横材２０の下面側に取付けたが、横材２０の上面側に取付けてもよく、或いは横材２０とパネル１との間に挟んで固定するようにしてもよい。また上記実施形態は屋根や床材等の水平部材としてＡＬＣパネルを用いた場合を例にして説明したが、これに限らず、各種のコンクリートパネルや石膏ボート等その他各種材質のものを水平部材として用いる場合にも適用可能である。
【００２８】
また上記実施形態は、梁材２としてＨ型鉄骨梁を用いた建物に適用したが、例えば図６に示すように支持アーム１２を貫通穴１３のない対向片１１ａ側に設けることによって、図７（ａ）に示すように角管状の梁材２Ａや同図（ｂ）のように木製の梁材２Ｂにも適用することができる。さらに上記各実施形態は支持アームをパネルの面取り部に挿入するようにしたが、例えば目地部や他の凹部等の隙間に挿入するようにしてもよい。
【産業上の利用可能性】
【００２９】
以上のように本発明によれば、ＡＬＣパネル等を用いた屋根や床材等の水平部材において、その水平部材が万一破損した場合の破片落下防止対策として上記水平部材の下面側に天井板を容易・迅速に敷設することができるもので、安全性を向上できる他、施工に溶接などの特別な技術を要しないため、比較的簡単な工事が可能で、コスト面や更には使用者への負担を減らすことが出来るため、産業上も極めて有効かつ適切に利用することができる。
【図面の簡単な説明】
【００３０】
【図１】本発明による天井板取付用横材の支持金具の一実施形態を示す斜視図。
【図２】天井板の取付構造の一実施形態を示す斜視図。
【図３】図２におけるＡ部の拡大図。
【図４】（ａ）は図３の正面図、（ｂ）は（ａ）のｂ−ｂ側面図。
【図５】（ａ）〜（ｅ）天井板取付構造の施工プロセスの一例を示す説明図。
【図６】本発明による天井板取付用横材の支持金具の他の実施形態を示す斜視図。
【図７】（ａ）および（ｂ）は上記支持金具を用いた天井板の取付構造の縦断面図。
【図８】（ａ）は従来の屋根や床材等の水平部材の構成例を示す縦断面図、（ｂ）および（ｃ）は上記水平部材に衝撃や過大な積載荷重等が掛かった状態の同上図。
【００３１】
１  パネル（水平部材）
１ａ  面取り加工部
２  梁材（建物躯体）
３  固定用金物
４  目地鉄筋
５  モルタル
６  防水層
１０  支持金具
１１  金具本体
１１ａ、１１ｂ  対向片  
１１ｃ  下部
１２  支持アーム
１３  貫通穴
１３ａ  開口部
１４  雌ねじ孔
２０  横材
２１  天井板
２２  ビス
Ｓ  隙間
Ｐ  荷重
【図１】
2009138445.tif 000003
【図２】
2009138445.tif 000004
【図３】
2009138445.tif 000005
【図４】
2009138445.tif 000006
【図５】
2009138445.tif 000007
【図６】
2009138445.tif 000008
【図７】
2009138445.tif 000009
【図８】
2009138445.tif 000010